(57)【要約】      （修正有）【課題】数種の薄型テレビに汎用に用いることができ、薄型テレビの前面のデザインを容易に変更することのできる薄型テレビ用額縁を提供する。【解決手段】薄型テレビの画面の形状に対応する開口１ａを有する額縁本体の上辺の裏面側に、該上辺裏面に沿って、該薄型テレビ５０の前端上面５００に対向する平面２０を有する添え木２が設けられ、該添え木２または額縁本体１に、該額縁を前記薄型テレビに掛け留めする掛け留め治具３が設けられてなる構成とした。【選択図】図４
2007333902.tif 000002
【特許請求の範囲】
【請求項１】
薄型テレビの画面の前面に取り付けるための薄型テレビ用額縁であって、
前記薄型テレビの画面の形状に対応する開口を有する額縁本体の上辺の裏面側に、該上辺裏面に沿って、該薄型テレビの前端上面に対向する平面を有する添え木が設けられ、
該添え木または額縁本体に、該額縁を前記薄型テレビに掛け留めする掛け留め治具が設けられてなる、
ことを特徴とする薄型テレビ用額縁。
【請求項２】
請求項１記載の薄型テレビ用額縁において、
前記額縁本体の材質が木製である、
ことを特徴とする薄型テレビ用額縁。
【請求項３】
請求項１記載の薄型テレビ用額縁において、
前記額縁本体の材質が樹脂製である、
ことを特徴とする薄型テレビ用額縁。
【請求項４】
請求項１記載の薄型テレビ用額縁において、
前記額縁本体の材質が金属製である、
ことを特徴とする薄型テレビ用額縁。
【請求項５】
請求項２ないし請求項４のいずれかに記載の薄型テレビ用額縁において、
前記額縁本体の表面の一部または全面に革材が貼られている、
ことを特徴とする薄型テレビ用額縁。
【発明の詳細な説明】
【技術分野】
【０００１】
本発明は、薄型テレビ用額に関し、特に数種の薄型テレビに汎用に用いることのできる薄型テレビ用額縁に関するものである。
【背景技術】
【０００２】
従来、テレビのフロントパネルを交換するものとしては、特許文献１に示されるものがあるが、この従来のテレビジョン受像機はフロントパネルを交換してテレビジョン表示画面の表示アスペクトを変えるようにしているものである。
【０００３】
また、従来、液晶テレビ等の薄型テレビにおいて、フロントパネルを交換することによって、薄型テレビの前面のデザインを変更することのできるものがあったが、これは、薄型テレビの特定の機種のフロントパネルをその機種のために専用のパーツとして作製された交換用のフロントパネルによって交換するものであった。
【特許文献１】特開平１１−６９２５９号公報
【発明の開示】
【発明が解決しようとする課題】
【０００４】
上記のように、従来の、フロントパネルを交換することによって前面のデザインを変更することのできる薄型テレビは、薄型テレビの特定の機種のフロントパネルをその機種のために専用のパーツとして作製された交換用のフロントパネルによって交換するものであり、交換用のフロントパネルが作製されていない機種については、前面のデザインを変更することができないという問題があった。
【０００５】
本発明は、上述のような問題点に鑑みてなされたもので、数種の薄型テレビに汎用に用いることができ、薄型テレビの前面のデザインを容易に変更することのできる薄型テレビ用額縁を提供することを目的とする。
【課題を解決するための手段】
【０００６】
上記の課題を解決するために、本発明（請求項１）にかかる薄型テレビ用額縁は、薄型テレビの画面の前面に取り付けるための薄型テレビ用額縁であって、前記薄型テレビの画面の形状に対応する開口を有する額縁本体の上辺の裏面側に、該上辺裏面に沿って、該薄型テレビの前端上面に対向する平面を有する添え木が設けられ、該添え木または額縁本体に、該額縁を前記薄型テレビに掛け留めする掛け留め治具が設けられてなる、ことを特徴とするものである。
これにより、数種の薄型テレビに汎用に用いることのできる薄型テレビ用額縁を提供することができる。
【０００７】
また、本発明（請求項２）にかかる薄型テレビ用額縁は、請求項１記載の薄型テレビ用額縁において、前記額縁本体の材質が木製である、ことを特徴とするものである。
【０００８】
また、本発明（請求項３）にかかる薄型テレビ用額縁は、請求項１記載の薄型テレビ用額縁において、前記額縁本体の材質が樹脂製である、ことを特徴とするものである。
【０００９】
また、本発明（請求項４）にかかる薄型テレビ用額縁は、請求項１記載の薄型テレビ用額縁において、前記額縁本体の材質が金属製である、ことを特徴とするものである。
【００１０】
また、本発明（請求項５）にかかる薄型テレビ用額縁は、請求項２ないし請求項４のいずれかに記載の薄型テレビ用額縁において、前記額縁本体の表面の一部または全面に革材が貼られている、ことを特徴とするものである。
【発明の効果】
【００１１】
本発明によれば、薄型テレビの画面の前面に取り付けるための薄型テレビ用額縁であって、前記薄型テレビの画面の形状に対応する開口を有する額縁本体の上辺の裏面側に、該上辺裏面に沿って、該薄型テレビの前端上面に対向する平面を有する添え木が設けられ、該添え木または額縁本体に、該額縁を前記薄型テレビに掛け留めする掛け留め治具が設けられてなるものとしたから、数種の薄型テレビに汎用に用いることができ、薄型テレビの前面のデザインを容易に変更することのできる薄型テレビ用額縁を提供することができる効果がある。
【発明を実施するための最良の形態】
【００１２】
（実施の形態１）
図１は、本発明の実施の形態１による薄型テレビ用額縁の構成を示す図であり、図１（ａ）は正面図、図１（ｂ）は側面図である。また、図２は、図１に示す本実施の形態１による薄型テレビ用額縁を後方から見た斜視図である。図において、本実施の形態１にかかる薄型テレビ用額縁１００は、この薄型テレビ用額縁１００が取り付けられる薄型テレビの画面の形状に対応する開口１ａを有する額縁本体１の上辺の裏面側に、該上辺裏面に沿って、薄型テレビの前端上面に対向する平面２０を有する添え木２が設けられ、添え木２に、該額縁を薄型テレビに掛け留めする掛け留め治具３が設けられてなる。
【００１３】
次に、このように構成された本実施の形態１による薄型テレビ用額縁の薄型テレビへの取り付けの動作について説明する。
図３は本実施の形態１による薄型テレビ用額縁を薄型テレビに取り付けた状態を示す側面図であり、図４は本実施の形態１による薄型テレビ用額縁を薄型テレビに取り付けた状態の部分断面図である。図において、５０は薄型テレビ、５１は薄型テレビ５０の画面、５００は薄型テレビ５０の上面である。掛留治具３はネジ３０により添え木２に取り付けられる。
【００１４】
図３、４に示すように、本実施の形態１による薄型テレビ用額縁１００は、薄型テレビ５０の前面側から添え木２の平面２０が薄型テレビ５０の上面５００に当接するように、薄型テレビ用額縁１００を薄型テレビ５０に載置し、掛留治具３により掛留することによって薄型テレビ５０に取り付ける。
【００１５】
また、図５は本実施の形態１による薄型テレビ用額縁１００を図３、４に示す薄型テレビ５０とは異なる形状の薄型テレビ５０ｂに取り付けた状態を示す図である。
図５に示す薄型テレビ５０ｂは、薄型テレビ５０に比べて画面５１から上面５００までの寸法がＴだけ短く、また、筺体の後方部分が垂直に切り立った形となっており、薄型テレビ５０とはその形状が異なっている。
【００１６】
本実施の形態１による薄型テレビ用額縁１００をこのような形状の異なる薄型テレビ５０ｂに取り付けるときには、画面５１から上面５００までの寸法が短い分Ｔを補足する補助部材２００を、添え木２と薄型テレビ５０ｂの上面５００との間に取り付けることにより、開口１ａの高さ位置と薄型テレビ５０ｂの画面５１の高さ位置とを合わせ、薄型テレビ５０ｂの筺体の後方部分の形状に係合する形状の掛留治具３ｂを用いて掛留することによって、薄型テレビ用額縁１００を薄型テレビ５０ｂに取り付けることができる。本実施の形態１による薄型テレビ用額縁１００は、額縁本体１の上辺の裏面側に、該上辺裏面に沿って、薄型テレビの前端上面５００に対向する平面２０を有する添え木２を設けているので、薄型テレビの上面５００と添え木２の平面２０の間に直方体形状の補助部材２００を配置することによって、額縁本体１の開口１ａの高さ位置と薄型テレビの画面５１の高さ位置とを容易に合わせることができ、容易に、形状の異なる薄型テレビに汎用的に用いることができる。
【００１７】
以上のように、本実施の形態によれば、薄型テレビの画面の形状に対応する開口を有する額縁本体１の上辺の裏面側に、該上辺裏面に沿って、該薄型テレビの前端上面５００に対向する平面２０を有する添え木２が設けられ、添え木２に、該額縁を前記薄型テレビに掛け留めする掛け留め治具３が設けられてなる構成としたから、数種の薄型テレビに汎用に用いることができ、薄型テレビの前面のデザインを容易に変更することのできる薄型テレビ用額縁を提供することができる。
なお、上記実施の形態では、添え木２に掛け留め治具３を設けたものについて示したが、額縁本体１に直接に掛け留め治具３を設けるようにしてもよい。
【００１８】
また、上記実施の形態において、額縁本体１は、薄型テレビの画面の形状に対応する開口を有するものであれば、その形状、材質、色は特に限定されるものではなく、様々な意匠が適用可能である。例えば、額縁本体１の材質は、木製の他、樹脂製、金属製、あるいはこれらの材料を複合的に用いる等、デザインに応じて適宜選択できるものである。また、額縁本体１は、木製、樹脂製、または金属製で形成された額縁の表面の一部または全面に革材が貼られているものとしてもよい。
【産業上の利用可能性】
【００１９】
本発明によれば、数種の薄型テレビに汎用に用いることができ、薄型テレビの前面のデザインを容易に変更することのできる薄型テレビ用額縁を提供することができ、額縁製造、テレビ製造等の分野において利用することが可能である。
【図面の簡単な説明】
【００２０】
【図１】本発明の実施の形態１による薄型テレビ用額縁の構成を示す図である。
【図２】本発明の実施の形態１による薄型テレビ用額縁の構成を示す図である。
【図３】本発明の実施の形態１による薄型テレビ用額縁を薄型テレビに取り付ける動作を説明するための図である。
【図４】本発明の実施の形態１による薄型テレビ用額縁を薄型テレビに取り付ける動作を説明するための図である。
【図５】本発明の実施の形態１による薄型テレビ用額縁を異なる形状の薄型テレビに取り付ける動作を説明するための図である。
【符号の説明】
【００２１】
１  額縁本体
１ａ  開口
２  添え木
３  掛け留め治具
３０  ネジ
５０、５０ａ  薄型テレビ
２００  補助部材
【図１】
2007333902.tif 000003
【図２】
2007333902.tif 000004
【図３】
2007333902.tif 000005
【図４】
2007333902.tif 000006
【図５】
2007333902.tif 000007